(57)【要約】【課題】メンテナンスコストを低減し、構築物の表面をデザインするときの自由度を高めることが可能な照明装置を提供する。【解決手段】周辺を所定厚さの板状のパネルで覆われた構築物の表面に装着される照明装置であって、照明ユニット、ユニット取付機構、カバー、及びカバー取付機構を有する。照明ユニットは、板状の面を有し、照明光を発光する。ユニット取付機構は枠部材及び固定部材を有する。枠部材は、照明ユニットの周辺の少なくとも相対する２辺を囲む。固定部材は、枠部材を介して照明ユニットを構築物の表面に固定する。カバーは、板状の面を有し、照明ユニットの構築物の表面側とは反対の前面側に配置される。カバー取付機構は、カバーの周縁部の一部を係止する係止部材を有し、係止部材を枠部材に押圧するように付勢して固定させる。【選択図】図１
2013232344.tif 000002
【特許請求の範囲】
【請求項１】
周辺を所定厚さの板状のパネルで覆われた構築物の表面に装着される照明装置であって、
板状の面を有し、照明光を発光する照明ユニットと、
前記照明ユニットの周辺の少なくとも相対する２辺を囲む枠部材と、前記枠部材を介して前記照明ユニットを前記構築物の表面に固定するための固定部材とを含むユニット取付機構と、
板状の面を有し、前記照明ユニットの前記構築物の表面側とは反対の前面側に配置されるカバーと、
前記カバーの周縁部の一部を係止する係止部材を有し、前記係止部材を前記枠部材に押圧するように付勢して固定させるカバー取付機構と、
を有する
ことを特徴とする照明装置。
【請求項２】
前記枠部材及びカバーを含む厚さは、前記パネルの所定厚さであり、
前記カバー取付機構は、前記付勢する方向とは反対の前方へ前記係止部材を引き出すことにより、前記カバーが着脱可能に構成されている
ことを特徴とする請求項１に記載の照明装置。
【請求項３】
前記カバー取付機構は、前記係止部材を引き出すことにより、前記カバーを前記周辺の前記パネルより前方に位置させて、前記カバーを前記構築物の表面に沿って移動可能なように構成されている
ことを特徴とする請求項２に記載の照明装置。
【請求項４】
前記カバー取付機構は、
前記枠部材の後方に一端が固定され、他端が自由端とされた片持ちの状態で配置された板バネと、
前記枠部材に設けられた貫通孔に、前記前後方向に移動可能に通された軸部材と、
を有し、
前記軸部材の前端部は、前記係止部材に連結され、
前記軸部材の後端部は、前記板バネの前記他端と連結されている
ことを特徴とする請求項３に記載の照明装置。
【請求項５】
前記カバーは、その周縁部が前記枠部材の前方に位置するように配置され、
前記カバーの前記周縁部は、前記カバーの面の中央に比べて低い透光性を有する
ことを特徴とする請求項１から請求項４のいずれかに記載の照明装置。
【請求項６】
前記照明ユニットは、発光素子と前記板状の面を有する導光板とを有し、前記導光板の側面に沿って配列された前記発光素子からの光が前記側面に入射され、前記導光板の表面から出射するように構成され、
前記照明ユニットは、前記導光板を挟む両壁部と、前記両壁部を繋ぐ底壁部とを備えた略Ｕ字状の断面形に形成された保持部材をさらに有し、
前記底壁部と前記導光板の前記側面との間の隙間に、前記発光素子が配置されている
ことを特徴とする請求項１または請求項２に記載の照明装置。
【請求項７】
前記ユニット取付構成は、
略矩形状の前記枠部材の隅部に配置された隅部材と、
前記枠部材に嵌め込まれるように略矩形状に形成された前記保持部材の角部と、
前記角部に面取りが施されることにより形成された前記角部と前記隅部材との間の隙間に、前記隅部材から延ばされた前記固定部材と、
前記隙間に前記角部から延ばされた被固定部と、
を有し、
前記固定部材と前記被固定部とを相互に固定することにより、前記枠部材と前記照明ユニットとを相互に連結する
ことを特徴とする請求項６に記載の照明装置。
【請求項８】
前記保持部材はその複数個により構成され、
前記保持部材同士の間の隙間、及び、前記保持部材と前記被固定部との間の隙間は、前記発光素子からの光の入射／出射を防止するように遮光処理されている
ことを特徴とする請求項６に記載の照明装置。
【発明の詳細な説明】
【技術分野】
【０００１】
この発明は、周辺を所定厚さの板状のパネルで覆われた構築物の表面に装着される照明装置に関する。
【背景技術】
【０００２】
建物や土木建築物などの構築物において、照明装置は、構築物の天井、壁、床などに設置される。
【０００３】
天井に設置される照明装置、例えば、一般住宅など住空間に設置される照明装置には、直接の照明光を和らげたり、発光品位を高めたりするために、最前面に拡散機能を有する透光カバーが配置されている。なお、透光カバーを、拡散板、または単にカバーという場合がある。
【０００４】
照明装置の本体は光源（ランプ、発光素子）等を有している。一般的に、本体は天井面と異なる高さに設置されていて、天井面より室内側に突出している。カバーは照明装置の本体の前面を覆っているため、本体に対してさらに室内側に突出している。本体を点検、補修するため、または、カバーを交換するため、カバーを本体に着脱するための着脱機構が設けられている。
【０００５】
カバーの着脱機構の一例として、本体側のリブとカバー側のリブとを互いに嵌合、離脱させるように、カバーを本体に対して回転またはスライドさせることにより、カバーを本体に着脱させている（例えば、特許文献１）。
【０００６】
天井に設置される照明装置の他の例として、光源を含む灯具ユニットと、点灯装置ユニットとを有しているものがある。点灯装置ユニットは、灯具ユニットに板バネで接続されている。天井には埋込孔が設けられている。照明装置を装着するとき、点灯装置ユニットは室内側から埋込孔を通して天井の裏側に入れられ、設置される。灯具ユニットは埋込孔に嵌め込まれ、天井面と同じ高さに設置される。灯具ユニット及び点灯装置ユニットは、板バネの復元力により、所定の位置に安定した状態に維持される（例えば、特許文献２）。
【０００７】
さらに、天井に設置される照明装置の他の例として、光源、導光材、ケース体、及び、照明カバーを有しているものがある。照明装置は２つの天井材の間に組み込まれた構造となっている。天井材の室内側とは反対の裏側にケース体が配置され、ケース体に光源及び導光材は収容されている。ケース体の開口に照明カバーが弾撥的に嵌め込まれている。ケース体の開口に嵌め込まれた照明カバーの表面が、天井材の表面と同じ高さに設置されている。天井材において、照明カバーの近傍位置には点検口が設けられ、点検口は点検蓋により閉じられている（例えば、特許文献３）。
【０００８】
近年、ＬＥＤなどの発光素子と、発光素子からの光が入射され、所定位置から所定の方向に出射される導光板とを組み合わせることにより、薄型を含め、多様な形状の照明装置が創られるようになった。また、照明装置の形状の多様化により、照明装置が設置される構築物の表面をデザインするときの自由度が高まりつつある。
【先行技術文献】
【特許文献】
【０００９】
【特許文献１】特開２００９−８７５７８号公報
【特許文献２】特開２００７−３１７５４９号公報
【特許文献３】特開２０１２−４８９２０号公報
【発明の概要】
【発明が解決しようとする課題】
【００１０】
しかしながら、上記特許文献１に記載された照明装置では、カバーが、天井面より室内側に突出しているため、室内の利用者に突起感を与え、また、構築物の表面のデザインを制約するという問題点があった。
【００１１】
使用者に突起感を与えないように、カバーを天井面と同じ高さに設置するには、カバーをその厚さ分だけ埋め込むため、カバーを本体に着脱するとき、カバーが天井に当接して、回転またはスライドさせることができないという問題点があった。
【００１２】
上記特許文献２に記載された照明装置では、灯具ユニットが天井面と同じ高さに設定されているため、室内の利用者に突起感を与えず、また、構築物の表面のデザインを制約することもないが、点灯装置ユニットを設置するための大きなスペースが天井の裏側に必要となるという問題点があった。
【００１３】
上記特許文献３に記載された照明装置では、照明カバーの表面が天井材の表面と同じ高さに設定されているため、室内の利用者に突起感を与えず、また、構築物の表面のデザインを制約することもないが、照明カバーがケース体に堅く嵌っているため、天井材の裏側にある照明装置の内部部品（光源、導光材等）を点検、補修するときに、照明カバーをケース体から外すには非常に困難を伴うため、光源等を点検、補修するとき、照明カバーは着脱されない。
【００１４】
例えば、光源等を点検、補修するときは、先ず、点検口を開ける。次に、点検口から天井材の裏側を覗いて、ケース体を所定位置から外す。次に、ケース体を室内側に移す。点検等が終了したら、ケース体を点検口から天井材の裏側に戻し、所定位置に取り付ける。次に、点検口を点検蓋で閉じる。
【００１５】
このように、光源等を点検、補修する作業には手間がかかるため、照明装置のメンテナンスコストが嵩み、また、点検口をわざわざ設ける必要があるという問題点があった。
【００１６】
この発明は、上記の問題を解決するものであり、メンテナンスコストを低減し、構築物の表面をデザインするときの自由度を高めることが可能な照明装置を提供することを目的とする。
【課題を解決するための手段】
【００１７】
上記課題を解決するため、この発明の請求項１に記載の照明装置は、周辺を所定厚さの板状のパネルで覆われた構築物の表面に装着される照明装置であって、板状の面を有し、照明光を発光する照明ユニットと、前記照明ユニットの周辺の少なくとも相対する２辺を囲む枠部材と、前記枠部材を介して前記照明ユニットを前記構築物の表面に固定するための固定部材とを含むユニット取付機構と、板状の面を有し、前記照明ユニットの前記構築物の表面側とは反対の前面側に配置されるカバーと、前記カバーの周縁部の一部を係止する係止部材を有し、前記係止部材を前記枠部材に押圧するように付勢して固定させるカバー取付機構と、を有することを特徴とする。
また、この発明の請求項２に記載の照明装置は、請求項１に記載の照明装置であって、前記枠部材及びカバーを含む厚さは、前記パネルの所定厚さであり、前記カバー取付機構は、前記付勢する方向とは反対の前方へ前記係止部材を引き出すことにより、前記カバーが着脱可能に構成されていることを特徴とする。
さらに、この発明の請求項３に記載の照明装置は、請求項２に記載の照明装置であって、前記カバー取付機構は、前記係止部材を引き出すことにより、前記カバーを前記周辺の前記パネルより前方に位置させて、前記カバーを前記構築物の表面に沿って移動可能なように構成されていることを特徴とする。
さらに、この発明の請求項４に記載の照明装置は、請求項３に記載の照明装置であって、前記カバー取付機構は、前記枠部材の後方に一端が固定され、他端が自由端とされた片持ちの状態で配置された板バネと、前記枠部材に設けられた貫通孔に、前記前後方向に移動可能に通された軸部材と、を有し、前記軸部材の前端部は、前記係止部材に連結され、
前記軸部材の後端部は、前記板バネの前記他端と連結されていることを特徴とする。
さらに、この発明の請求項５に記載の照明装置は、る請求項１から請求項４のいずれかに記載の照明装置であって、前記カバーは、その周縁部が前記枠部材の前方に位置するように配置され、前記カバーの前記周縁部は、前記カバーの面の中央に比べて低い透光性を有することを特徴とする。
さらに、この発明の請求項６に記載の照明装置は、請求項１または請求項２に記載の照明装置であって、前記照明ユニットは、発光素子と前記板状の面を有する導光板とを有し、前記導光板の側面に沿って配列された前記発光素子からの光が前記側面に入射され、前記導光板の表面から出射するように構成され、前記照明ユニットは、前記導光板を挟む両壁部と、前記両壁部を繋ぐ底壁部とを備えた略Ｕ字状の断面形に形成された保持部材をさらに有し、前記底壁部と前記導光板の前記側面との間の隙間に、前記発光素子が配置されていることを特徴とする。
さらに、この発明の請求項７に記載の照明装置は、請求項６に記載の照明装置であって、前記ユニット取付構成は、略矩形状の前記枠部材の隅部に配置された隅部材と、前記枠部材に嵌め込まれるように略矩形状に形成された前記保持部材の角部と、前記角部に面取りが施されることにより形成された前記角部と前記隅部材との間の隙間に、前記隅部材から延ばされた前記固定部材と、前記隙間に前記角部から延ばされた被固定部と、を有し、前記固定部材と前記被固定部とを相互に固定することにより、前記枠部材と前記照明ユニットとを相互に連結することを特徴とする。
さらに、この発明の請求項８に記載の照明装置は、請求項６に記載の照明装置であって、前記保持部材はその複数個により構成され、前記保持部材同士の間の隙間、及び、前記保持部材と前記被固定部との間の隙間は、前記発光素子からの光の入射／出射を防止するように遮光処理されていることを特徴とする。
【発明の効果】
【００１８】
請求項１に記載の照明装置によると、カバーをパネルの表面と同じ高さに設置することができ、構築物の表面をデザインするときの自由度を高めることが可能となる。
また、仮に、カバーをパネルの表面と同じ高さに設置しても、係止部材を付勢力に抗して前方へ移動させることで、カバーを着脱するためのスペースがパネルより前方に設けられるため、カバーの着脱作業が容易となり、照明装置の内部部品の点検、補修等に手間がかからず、メンテナンスコストを低減することが可能となる。
また、請求項２に記載の照明装置によると、枠部材及びカバーを含む厚さがパネルの所定厚さであるため、パネルに代えて照明装置を装着することが可能となる。それにより、パネル及び照明装置を配置するときの場所的な制限が緩和され、構築物の表面をデザインするときの自由度をさらに高めることが可能となる。また、仮に、カバーをパネルの表面と同じ高さに設置しても、係止部材を付勢力に抗して前方へ引き出すことで、カバーを着脱するためのスペースを容易に設けることができる。
さらに、請求項３に記載の照明装置によると、カバーを係止部材から外すとき、また、カバーを係止部材に係止させるときは、係止部材を前方に引き出してから、カバーを構築物の表面に沿って移動させばよいので、カバーを簡単に着脱することが可能となる。
さらに、請求項４に記載の照明装置によると、板バネの他端（自由端）の撓み量がカバーの引き出し量となる。カバーを引き出したとき、カバーがパネルの表面より前方に位置するように、板バネの他端の位置が決められる。板バネの他端の位置は、板バネの一端の位置を調整することで可能となる。
さらに、請求項５に記載の照明装置によると、カバーの周縁部の透過性を低くしたので、カバーの周縁部の後方に位置する枠部材が見えず、外観品質を向上させることが可能となる。
さらに、請求項６に記載の照明装置によると、保持部材は、両壁部で導光板を挟むことにより、導光板を保持する機能と、底壁と導光板の側面との間の隙間に発光素子を配置することにより、発光素子を保持する機能とを有することが可能となる。
さらに、請求項７に記載の照明装置によると、枠部材の隅部材と保持部材の角部との間の隙間において、厚みを増さずに、枠部材と照明ユニットとを相互に連結させたので、装置を薄型にすることが可能となる。
さらに、請求項８に記載の照明装置によると、発光素子からの光が保持部材同士の間の隙間等を通って外部へ出射せず、また、外部に出射された光が、その隙間を通って内部に入射にすることを防止することが可能となる。
【図面の簡単な説明】
【００１９】
【図１】天井に装着された照明装置をその斜め下方位置から見たときの図。
【図２】天井に装着された照明装置の断面図。
【図３】照明装置の分解斜視図。
【図４】照明装置の右側部の断面図。
【図５】照明装置の左側部の断面図。
【図６】枠部材の斜視図。
【図７】照明ユニットの斜視図。
【図８】ユニット取付機構の部分平面図。
【図９】透光カバーの斜視図。
【図１０】カバー取付構造を示す斜視図。
【図１１】保護部材を追加した構造を示す斜視図。
【図１２】透光カバーを離脱させた状態を示す照明装置の斜視図。
【発明を実施するための形態】
【００２０】
この発明の一実施形態に係る照明装置１０の構成について各図を参照して説明する。図１は、天井に装着された照明装置１０をその斜め下方位置から見たときの図、図２は、天井に装着された照明装置１０の断面図である。
以下の説明において、構築物の表面として天井面を一例に挙げて説明する。なお、前方を下方という場合がある。また、前後方向を上下方向または高さ方向という場合がある。
【００２１】
（パネルＰ）
図１及び図２に示すように、天井面にはパネルＰ及び照明装置１０が装着されている。パネルＰは、照明装置１０の周辺に配置されている。なお、パネルＰを天井材という場合がある。
【００２２】
パネルＰ及び照明装置１０を天井面に装着する方法としては、一般的な方法が用いられる。装着方法の一例としては、隣接するパネルＰ同士が相互に組み合わせられる。また、隣接するパネルＰと照明装置１０とは相互に組み合わされる。さらに、パネルＰは天井面に固定される。さらに、照明装置１０は天井面に固定される。
【００２３】
パネルＰや照明装置１０を固定する方法には、天井面の素材に応じた一般的な方法が用いられる。例えば、天井面の素材がコンクリートであれば、下穴に固定されるアンカー付きのネジによる固定方法が用いられる。天井面が所定ピッチで並べられた複数の角材（木材）と下地材（木材）とにより構成されるものでは、ネジ、または、ステープル（ｓｔａｐｌｅ）による固定方法が用いられる。角材、下地材、ネジ、及び、ステープルを図２に、”Ｃ１”、”Ｃ２”、”Ｆ１”、及び、”Ｆ２”で示す。
【００２４】
パネルＰは、板状の面（例えば、縦３００ｍｍ×横３００ｍｍ）で、所定厚さ（例えば、９ｍｍ）を有する。パネルＰの材料の一例としては、石こう、ガラス繊維、アルミニウム、ステンレス、木材、及び、珪藻土のいずれか一つ、または、これらの材料の二以上を組み合わせたものが用いられる。
【００２５】
〔照明装置１０の構成〕
次に、照明装置１０の各構成について図２及び図３を参照して説明する。図３は、照明装置１０の分解斜視図である。
【００２６】
図３に示すように、照明装置１０は、照明ユニット２０、ユニット取付機構３０、透光カバー４０、及び、カバー取付機構５０を有している。照明装置１０は、透光カバー４０を下方に移動させた後、天井面に沿って一側（例えば、作業者の奥側）と他側（作業者の手前側）との間を移動させることで、透光カバー４０を着脱するように構成されている。
【００２７】
（照明ユニット２０）
次に、照明ユニット２０について、図１〜図５を参照して説明する。図４は、照明装置１０の奥側の端部を表面に対し直交する方向から破断したときの断面図、図５は、照明装置１０の手前側の端部を表面に対し直交する方向から破断したときの断面図である。
【００２８】
照明ユニット２０は、発光素子１１、導光板１２、及び保持部材１５を有している。
【００２９】
図４及び図５に示すように、発光素子１１は、導光板１２の両側面（奥側の側面及び手前側の側面）に沿って配列されている。発光素子１１は、導光板１２の側面と保持部材１５の底壁１９（後述）との間の隙間に配置されている。発光素子１１には、例えば、発光ダイオード（ＬＥＤ）が用いられている。なお、発光素子１１は、導光板１２の周面の全部または一部に沿って配置されていればよい。発光素子１１を周面のどこにどのように配置するかは、導光板１２の表面のうちのどこからどのように光を出射させかにより異なる。
【００３０】
導光板１２は、板状の面を有し、導光板１２は、その側面に発光素子１１からの光が入射され、その表面から光（照明光）が出射するように構成されている。導光板１２は、３．０ｍｍ〜５．０ｍｍの厚さを有し、材料としてアクリル製の透明プラスチック板が一般的に用いられ、その他に、ポリカーボネート（ＰＣ）樹脂、シクロオレフィン系樹脂が使用されている。
【００３１】
図４及び図５に示すように、導光板１２の裏面（天井面側）には光反射シート１３が貼り付けられている。光反射シート１３は、発光素子１１の光が裏側に抜けるのを防止し、下方（前方）へ反射させることで、効率的に導光板１２に導光させるもので、材料として透明性や光学特性に優れたＰＥＴフィルムに銀を蒸着したものや、金属泊（例えば、アルミニウム）を積層したものが用いられている。光反射シート１３（複数層を含む）は、例えば、１．０ｍｍの厚さを有している。例えば、０．５ｍｍ以下のシートに金属板を貼り合わせて１ｍｍ程度で使用する。
【００３２】
導光板１２において、発光素子１１が配列された側面を除く他の周囲面は、光反射処理されている。光反射処理として、反射テープを用いて、発光素子１１の配置してない導光板１２の端面から漏れる光を導光板１２に戻し表面からの出射効率を上げる。
【００３３】
図４及び図５に示すように、保持部材１５は、４つの辺部１６（図３及び図７参照）と、隣接する辺部１６を接続する４つの角部１７（図３及び図７参照）とを有する略矩形状に形成され、枠部材３１（図３参照）に嵌め込まれるように構成されている。
【００３４】
辺部１６及び角部１７の断面形状は、両壁部１８（図４参照）、及び、両壁部１８を繋ぐ底壁１９を備えた略Ｕ字状に形成されている。両壁部１８は、導光板１２の両面（表面及び裏面（貼り付けられた光反射シート１３の裏面））の縁部を挟むように形成されている。それにより、保持部材１５は、両壁部１８により導光板１２を保持する機能を有する。底壁１９と導光板１２の側面との間の隙間には、発光素子１１が配置されている。それにより、保持部材１５は、底壁１９により発光素子１１を保持する機能を有する。
【００３５】
辺部１６と角部１７との間の隙間、及び、角部１７と被固定部３６との間の隙間は、発光素子１１からの光の入射／出射を防止するために遮光処理されている。
遮光処理の一例として、放射率が黒体に近い材料（例えば、カーボンナノチューブ黒体）を、辺部１６と角部１７との間の隙間などに塗布する黒体塗装がある。黒体塗装により、紫外線、可視光線、遠赤外線までの広い波長域で光を吸収することができる。その結果、発光素子１１からの光が隙間を通って外部に出射せず、また、外部から隙間を通って内部に入射しないため、不要となった光が隙間を通って入射したり出射したりしないので、発光品位を高めることが可能となる。
【００３６】
両壁部１８の外壁面および底壁部１９の外壁面は、光反射防止処理されている。光反射防止処理の一例として、発光素子１１からの光を吸収する処理と、光を拡散する処理とがある。
【００３７】
光を吸収する処理としては、例えば、放射率が黒体に近い材料を両壁部１８の外壁面および底壁部１９の外壁面に塗布する黒体塗装（前述）、または、表面無反射構造処理が用いられる。なお、黒体塗装されたフィルム、または、外壁面に貼り付けてもよい。表面無反射構造処理においては、外壁面にナノ構造の円錐列を作り込むことで、発光素子１１からの光が外壁面に吸収され、外壁面での光反射がなくなる。それにより、照明ユニット２０内で不要となる、または、不要となった光が外壁面に吸収されて見えなくなり、外観品質を向上させることが可能となる。
【００３８】
照明ユニット２０の厚さは、例えば、６．０ｍｍ〜７．０ｍｍであって、導光板１２の厚さ、及び光反射シート１３の厚さ、及び、保持部材１５の板厚（例えば、１．０ｍｍ）により構成されている。なお、発光素子１１は、底壁１９と導光板１２の側面との間の隙間に配されているため、照明ユニット２０の厚さを構成しない。
【００３９】
（ユニット取付機構３０）
次に、ユニット取付機構３０について、図２、図３及び図６〜図８を参照して説明する。図６は枠部材３１の斜視図、図７は照明ユニット２０の斜視図、図８は、ユニット取付機構３０の部分平面図である。
【００４０】
図２に示すように、ユニット取付機構３０は、枠部材３１と照明ユニット２０を相互に固定するための第１取付機構と、枠部材３１を介して照明ユニット２０を天井面に固定するための第２取付機構とを有している。
【００４１】
図３に示すように、第１取付機構は、枠部材３１のコーナー部材（隅部材）３３と、保持部材１５の角部１７と、延出部材（固定部材）３５と、被固定部材３６とを有している。
【００４２】
図６から図８に示すように、枠部材３１は、４つの辺部及び４つの隅部を有する略矩形状に形成されている。枠部材３１の辺部１６にストレート部材３２が対応し、枠部材３１の隅部にコーナー部材３３が対応している。隣接するストレート部材３２同士は、コーナー部材３３によりネジを用いて連結されている。
【００４３】
ストレート部材３２はアングル断面形状を有している。コーナー部材３３は略Ｌ字形状を有している。コーナー部材３３は、板厚において、後述する照明ユニット２０側の被固定部材３６を支持するため、ストレート部材３２より厚めのものが用いられる。ストレート部材３２及びコーナー部材３３は、例えば、アルミニウム、鋼板により成形されている。なお、枠部材３１としては、照明ユニット２０の周辺の少なくとも相対する２辺を囲む部材であればよい。
【００４４】
光を拡散する処理としては、例えば、枠部材３１の表面にごく細かい凹凸をつけることにより、反射光を広く散らす処理（凹凸処理）、及び、枠部材３１の表面に複数の薄膜材料のコーティングを施し、反射を抑えた処理（無反射コーティング処理）が用いられる。それにより、照明ユニット２０内で不要となる、または、不要となった光が枠部材３１で拡散して枠部材３１としては視認されなくなり、外観品質を向上させることが可能となる。
【００４５】
図８に、保持部材１５の角部１７と、それに対して枠部材３１の隅に対向配置されたコーナー部材３３とを拡大して示す。図８に示すように、保持部材１５の角部１７には、面取りが施されている。面取りにより、角部１７とコーナー部材３３との間には、略３角形の隙間が形成される。その隙間には、コーナー部材３３から延出部材（固定部材）３５が延ばされている。また、その隙間には、角部１７から被固定部材３６が延ばされている。延出部材３５と被固定部材３６とは相互に固定されている。延出部材３５にはネジ穴（図示省略）が設けられている。ボルトをネジ穴に締着することにより、枠部材３１と照明ユニット２０とが相互に連結される。延出部材３５および被固定部材３６には、ボルトを通すための下穴がそれぞれ設けられている。さらに、延出部材３５には、ネジＦ１（図２及び図６参照）を通すための貫通穴３５ｂが設けられている。このように、隙間を使うことで、枠部材３１と照明ユニット２０とを相互に連結することができ、装置の薄型を図ることができる。
【００４６】
第２取付機構は、前記したコーナー部材３３と、図２に示すネジＦ１とを有し、コーナー部材３３をネジＦ１で天井面（構築物の表面）に固定する。それにより、枠部材３１を介して照明ユニット２０を天井面に固定することが可能となる。
【００４７】
（透光カバー４０）
次に、透光カバー４０について図２及び図９を参照して説明する。図９は、透光カバー４０の斜視図である。
【００４８】
図２及び図９に示すように、透光カバー４０は、板状の略正方形の面を有し、照明ユニット２０の天井面側とは反対の前面側に配置されている。
【００４９】
透光カバー４０は、その周縁部４１が枠部材３１の下方（前方）に位置するように配置されている。透光カバー４０の周縁部４１は、透光カバー４０の面の中央４２に比べて低い透光性を有している。周縁部４１のみの透光性を低くすることにより、照明ユニット２０の発光時において、輝度の低下を抑えることができ、また、照明ユニット２０の非発光時において、周縁部４１が透けずに、室内側から透光カバーを通して枠部材３１が見えないようにして、外観品質を向上することが可能となる。
【００５０】
透光カバー４０は、縦３００ｍｍ×横３００ｍｍの面形状、及び、１．０ｍｍ〜１．５ｍｍの厚さを有している。透光カバー４０の材料には、アクリル製の透明プラスチック板が一般的に用いられ、その他に、ポリカーボネート（ＰＣ）樹脂が使用されている。
【００５１】
透光カバー４０の周縁部４１の透光性を低くするには、例えば、透光カバー４０の裏面（照明ユニット２０側の面）に施される、光を吸収する処理、及び、光を拡散する処理が用いられる。周縁部４１の透光性を低くすることで、周縁部４１の上方（後方）に位置する枠部材３１が見えず、外観品質を向上させることが可能となる。
【００５２】
具体的な処理としては、１）単純に天井色あるいは好みの色のみを塗装し、透光性を低くする。２）重ね塗りで、部屋側最前面に天井色あるいは好みの色、その裏の層に遮光層（例えば黒体塗装や灰色塗装）、その裏に最前面と同じ色（３層目はあってもなくても可）を塗装する。３）天井側の面を天井色あるいは好みの色を塗装し、さらに、最前面（反射面）を光拡散処理する。
【００５３】
光拡散処理には、凹凸処理及び無反射コーティング処理がある。透光カバー４０に対す凹凸処理では、例えば、透光カバー４０の裏面をサンドブラストし、さらに、その裏面を化学処理して、透光カバー４０を乳白色にする加工と、透光カバー４０の裏面に凹凸模様をつける加工と、砂と金属ブラシで不透明にした加工とがある。
【００５４】
（カバー取付機構５０）
次に、カバー取付構造について、図１０及び図１１を参照して説明する。図１０は、カバー取付構造を示す斜視図、図１１は、保護部材５６を追加した構造を示す斜視図である。
【００５５】
図１０に示すように、カバー取付機構５０は、係止部材５１と、付勢手段としての板バネ５５と、軸部材５８とを有している。
【００５６】
係止部材５１は、透光カバー４０の４つ角縁４３に対応して４つ設けられている。
【００５７】
４つの係止部材５１のうち奥側の２つは、枠部材３１に固定されている（固定側の係止部材）。手前側の２つの係止部材５１は、上下方向に移動可能に枠部材３１に支持されている（移動側の係止部材）。固定側の２つの係止部材５１は、透光カバー４０の奥側の２つ角縁４３を係止する。移動側の２つの係止部材５１は、透光カバー４０の手前側の角縁４３を係止する。固定側の係止部材５１と移動側の係止部材５１とを、その色、形状等を用いて識別することにより、透光カバー４０の着脱作業が確実かつ容易となる。
【００５８】
板バネ５５は、可動側の係止部材５１を枠部材３１に押圧するように上方へ付勢して固定させるものである。透光カバー４０が装着されているとき、係止部材５１は付勢により枠部材３１に押圧されているため、枠部材３１に押圧されているときの係止部材５１の開口の位置により透光カバー４０の位置が定まる。装着されたときの透光カバー４０がその周辺パネルＰの表面と同じ高さ位置となるように、係止部材５１の開口の位置が設定されている。
【００５９】
係止部材５１には透光カバー４０の荷重がかかるため、板バネ５５は、透光カバー４０の荷重によって可動側の係止部材５１にかかる荷重より大きな付勢力を有し、それによって、係止部材５１を枠部材３１に押圧する（押圧力）。
【００６０】
押圧力、付勢力、及び、透光カバー４０の荷重によって可動側の係止部材５１にかかる荷重を、Ｆ、Ｆ１、及び、Ｆ２とすると、これらの関係は、これら以外の力、例えば、付勢部材と係止部材５１との間の摩擦力などを考慮しなければ、次の式で表される。
Ｆ＝Ｆ１−Ｆ２          （１）
上の式から、透光カバー４０を着脱するときには、押圧力Ｆに抗して、係止部材５１を下方に引き出せばよいことがわかる。
【００６１】
カバー取付機構５０は、係止部材５１を下方へ引き出すことにより、係止部材５１の開口の位置（開口に周縁部４１が嵌り込む透光カバー４０）を周辺のパネルＰの表面より下方（前方）に位置させて、透光カバー４０を天井面に沿って奥側と手前側との間を移動可能なように構成されている。
【００６２】
板バネ５５は、その一端が枠部材３１の後方にボルト、ネジ、複数のスペーサ５７（ワッシャ）により固定され、他端が自由端とされた片持ちの状態で配置されている。
【００６３】
板バネ５５の一端の高さは、枠部材３１とボルトとの間に配置されるスペーサ５７の数を変更することにより調整される。また、この変更で、板バネ５５の他端（自由端）と枠部材３１との距離も調整される。
【００６４】
板バネ５５の他端の撓み量は、透光カバー４０がパネルＰの表面より下方に位置するように係止部材５１を引き出すときの引き出し量となる。そのため、板バネ５５の他端と枠部材３１との距離は、係止部材５１の引き出し量よりも大きく設定される。板バネ５５の他端と枠部材３１との距離を調整するには、スペーサ５７の数を変更すればよい。
【００６５】
軸部材５８は、枠部材３１に設けられた貫通孔に前後方向に移動可能に挿通されている。軸部材５８の前端部（下端部）は係止部材５１に連結され、軸部材５８の後端部（上端部）は、板バネ５５の他端と連結されている。なお、軸部材５８の後端部に対する板バネ５５の他端の位置を変更することによっても、板バネ５５の他端と枠部材３１との距離を調整することが可能となる。
【００６６】
以上のように、カバー取付機構５０を構成することにより、板バネ５５により付勢される方向（上方）とは反対の方向（下方）へ係止部材５１を引き出すことにより、透光カバー４０が着脱可能となる。
【００６７】
係止部材５１は、透光カバー４０の４つの角縁４３（図９参照）を係止している。透光カバー４０はその自重により中央４２（図９参照）が下方に撓むようになる。中央４２が下方に大きく撓むと、外観品質が低下し、また、後述するように、透光カバー４０をパネルＰの表面と同じ高さにする意味が薄れるため、中央４２が下方に大きく撓まないように（撓んでも僅かな量にするように）係止部材５１は透光カバー４０を係止する。そのため、係止する部分は、透光カバー４０の面の大きさ及び形状に応じて異なる。例えば、その面が略長方形の場合は、４つの角縁４３及び長辺の１又は複数箇所が係止部材５１により係止される。
【００６８】
また、係止部材５１は、透光カバー４０を係止する機能の他に、透光カバー４０を天井面の面方向に移動可能に案内する機能を有するため、透光カバー４０の周縁部４１（図９参照）が嵌り込むための開口を有する略Ｕ字形の溝状断面を有するとともに、透光カバー４０の周縁部４１に沿ってある程度の長さを有している。
【００６９】
係止部材５１の開口の幅は、例えば、２．５ｍｍに設定されている。なお、前述するように、透光カバー４０は、１．０ｍｍ〜１．５ｍｍの厚さを有している。したがって、開口に透光カバー４０の周縁部４１を嵌め込んだとき、１．０ｍｍ〜１．５ｍｍの隙間ができる。この隙間は、後述するカバーを着脱するときに用いられる。
【００７０】
透光カバー４０を着脱するとき、係止部材５１を下方に引き出すために、移動側の係止部材５１には、次の工夫が施されている。
【００７１】
例えば、開口を係止部材５１の溝の両壁間の隙間とすると、開口の幅は、透光カバー４０の周縁部４１の厚さより大きく設定されている。透光カバー４０が装着されているとき、透光カバー４０の周縁部４１は、係止部材５１の溝の下側の壁に当接している。透光カバー４０の周縁部４１を係止部材５１の溝の上側の壁に当接するように押し上げると、透光カバー４０の周縁部４１と下側の壁との間に隙間が設けられる。この隙間に、工具等を入れて、係止部材５１を下方に引き出すことが可能となる。
【００７２】
さらに、係止部材５１を下方に引き出すために、透光カバー４０に工夫が施されてもよい。例えば、透光カバー４０の周縁部４１において、移動側の係止部材５１の近傍位置に凹部（図示省略）を設ける。その凹部に工具等または手を掛けて、係止部材５１を下方に引き出すことが可能となる。
【００７３】
図１１は、保護部材５６を追加した構造の図である。図１１に示すように、板バネ５５を外部から覆うように保護部材５６が配置されている。保護部材５６により、板バネ５５と枠部材３１との間に異物等が侵入する阻止して、板バネ５５が作動不良になることを防止することができる。
【００７４】
以上のように、照明装置１０は、主要部品としての枠部材３１、照明ユニット２０、及び、透光カバー４０により構成されている。照明装置１０の厚さにおいて、照明ユニット２０は、枠部材３１の厚さの中に含まれるため、照明装置１０の厚さの大部分は、枠部材３１及び透光カバー４０で占められている。本実施形態では、照明装置１０の厚さ（枠部材３１及び透光カバー４０を含む厚さ）は、パネルＰの所定厚さとなるように設定されている。それにより、縦３００ｍｍ×横３００ｍｍのスペースである同じ場所に、パネルＰ及び照明装置１０を選択的に装着することが可能となる。その結果、パネルＰ及び照明装置１０を配置するときの場所的な制限が緩和され、構築物の表面をデザインするときの自由度をさらに高めることが可能となる。
【００７５】
以上の本実施形態に係る照明装置１０によれば、透光カバー４０が係止部材５１に装着されているとき、透光カバー４０がその周辺のパネルＰの表面と同じ高さになっているので、構築物の表面をデザインするときの自由度を高めることが可能となる。また、係止部材５１を付勢力に抗して下方へ移動させれば、透光カバー４０を着脱するためのスペースがパネルＰの表面より下方に設けられ、透光カバー４０を天井面に沿って移動して、容易に着脱することが可能となる。
【００７６】
〔メンテナンス作業〕
次に、本実施形態に係る照明装置１０の点検、補修等の作業について、説明する。
【００７７】
（透光カバー４０の離脱作業）
図１は、透光カバー４０が装着されているときの照明装置１０を示している。このとき、室内側からは透光カバー４０及び係止部材５１の溝壁５２が見えている。しかし、溝壁５２の板厚はわずかであり、溝壁５２は、照明装置１０の周辺に配置されたパネルＰの表面とほぼ同じ高さの位置にあるため、利用者に突起感を与えることはない。また、溝壁５２によってデザインに支障を来すこともない。
【００７８】
透光カバー４０が装着されているとき、周辺のパネルＰに干渉して回転させることも天井面に沿って移動させることもできない。また、透光カバー４０の奥側の２つの角縁４３が固定側の係止部材５１に係止され、手前側の２つの角縁４３が移動側の係止部材５１に係止されている。
【００７９】
この状態において、可動側の係止部材５１を板バネ５５の付勢力に抗して、下方に引き出す。それにより、透光カバー４０を離脱するためのスペースがパネルＰの表面より下方に簡単に設けられる。透光カバー４０を天井面に沿って、手前側に移動させることで、透光カバー４０の奥側の角縁４３が固定側の係止部材５１から外れ、さらに、手前側に移動させることで、透光カバー４０の奥側の角縁４３が移動側の係止部材５１から外れ、透光カバー４０を簡単に離脱させることができる。
【００８０】
図１２は、透光カバー４０を離脱させた状態を示す照明装置１０の斜視図である。図１２に示すように、透光カバー４０を離脱させることにより、枠部材３１、及び枠部材３１の開口に嵌め込まれた照明ユニット２０が室内側に現れる。
【００８１】
（照明ユニット２０等の点検、補修、交換作業）
透光カバー４０を離脱させることにより、枠部材３１及び照明ユニット２０が室内側に現れるため、照明ユニット２０を点検、補修、交換することが可能となる。
これらの作業を行うために、図８に示すナットをボルトから外し、延出部材３５と被固定部材３６との連結を解除することにより、枠部材３１の開口側から照明ユニット２０を着脱可能に構成されている。
【００８２】
（透光カバー４０の装着作業）
透光カバー４０が離脱されている状態において、可動側の係止部材５１を板バネ５５の付勢力に抗して、下方（前方）に引き出す。それにより、透光カバー４０を装着するためのスペースがパネルＰの表面より下方に設けられる。透光カバー４０の奥側の角縁４３を可動側の係止部材５１に係止し、さらに、透光カバー４０を天井面に沿って、奥側に移動させることで、透光カバー４０の奥側の角縁４３が固定側の係止部材５１に係止され、手前側の角縁４３が移動側の係止部材５１に係止される。このとき、板バネ５５の付勢力により、透光カバー４０が上方に移動して、パネルＰで囲まれた略矩形のスペースに嵌め込まれ、パネルＰの表面と同じ高さに位置なる。その結果、透光カバー４０を簡単に装着させることができる。
【００８３】
なお、本実施形態では、付勢手段として板バネ５５を示したが、その復元力を係止部材５１を付勢する力として利用できればいずれの手段であってもよい。たとえば、コイルバネやスプリングワッシャであってもよい。
【００８４】
また、前記実施形態では、照明装置１０が装着される構築物の表面の一例として天井面について説明したが、構築物の表面としては、天井面に限らず、壁面、床面であっても良い。
【符号の説明】
【００８５】
Ｐ  パネル
１０  照明装置
１１  発光素子
１２  導光板
１３  光反射シート
１５  保持部材
１６  辺部
１７  角部
１８  壁部
１９  底壁
２０  照明ユニット
３０  ユニット取付機構
３１  枠部材
３２  ストレート部材
３３  コーナー部材（隅部材）
３５  延出部材（固定部材）
３５ａ  下穴
３６  被固定部材
３６ａ  下穴
４０  透光カバー
４１  周縁部
４２  中央
４３  角縁
５０  カバー取付機構
５１  係止部材
５２  溝壁
５５  板バネ
５６  保護部材
５７  スペーサ
５８  軸部材
【図１】
2013232344.tif 000003
【図２】
2013232344.tif 000004
【図３】
2013232344.tif 000005
【図４】
2013232344.tif 000006
【図５】
2013232344.tif 000007
【図６】
2013232344.tif 000008
【図７】
2013232344.tif 000009
【図８】
2013232344.tif 000010
【図９】
2013232344.tif 000011
【図１０】
2013232344.tif 000012
【図１１】
2013232344.tif 000013
【図１２】
2013232344.tif 000014